(57)【要約】【課題】液体消火器とくにクリーン型消火器の再生に関し、現場での再生作業を可能とするとともに作業の確実性と簡便化をはかる。【解決手段】消火器具の放射口に接続し、放出した消火器本体内の薬剤を略全量回収容器内に収容する手段と、消火器の放射口に接続し、消火器本体内に薬剤を一定量送給して再充填する手段と、必要に応じて消火器本体内の薬剤を略全量回収容器内に収容する手段の前に消火器具の放出口に接続して試験ガスを設定圧力で圧送して消火器具本体内部耐圧力を試験する手段、および再充填された消火器具本体内のガス蓄圧量を検査する手段とからなる。これにより径時的な点検や薬剤交換にあたり、消火器具のヘッド部を取り外す必要もないため生産者等の工場に輸送せずとも現場作業が可能となる。【選択図】図１
2010273964.tif 000002
【特許請求の範囲】
【請求項１】
消火器の放射口に接続し、放出した消火器本体内の薬剤を略全量回収容器内に収容する手段と、消火器具の放射口に接続し、消火器本体内に薬剤を一定量送給して再充填する手段とからなる液体消火器の再生方法。
【請求項２】
放出した消火器本体内の薬剤を略全量回収容器内に収容する前に、あらかじめ消火器の放出口に接続して試験ガスを設定圧力で圧送して消火器本体内部耐圧力を試験するようにした請求項１に記載の液体消火器の再生方法。
【請求項３】
消火器本体内に薬剤を一定量送給して再充填する手段が、消火器内を負圧にする吸引手段と、負圧の消火器内に薬剤を送給する手段と、両手段の切替バルブとを備えているものである請求項１に記載の液体消火器の再生方法。
【請求項４】
消火器内を負圧にする吸引手段が真空ポンプであり、しかも消火器内と真空ポンプとの間に気密タンクを介在させたものである請求項１〜３のいずれか１に記載の液体消火器具の再生方法。
【請求項５】
消火器本体内に薬剤を一定量送給して再充填する手段の実施後に、消火器の放射口に接続し、再充填された消火器本体内に薬剤放射用ガスを適量蓄圧するようにした請求項１〜４の何れか１に記載の液体消火器の再生方法。
【請求項６】
消火器具の放射口に接続し、放出させた消火器本体内の薬剤を略全量収容する回収容器と、消火器の放射口に接続し、消火器本体内に薬剤を一定量送給して再充填する手段とからなる液体消火器の再生装置。
【請求項７】
放出させた消火器本体内の薬剤を回収容器内に略全量収容する前に、消火器具の放射口に接続して、試験ガスを設定圧力で圧送して消火器具本体内部耐圧力を試験する手段を備えた請求項６に記載の液体消火器の再生装置。
【請求項８】
消火器本体内に薬剤を一定量送給して再充填した後に、消火器の放射口に接続し、再充填された消火器本体内に薬剤放射用ガスを適量蓄圧する手段を備えた請求項６に記載の液体消火器の再生装置。
【請求項９】
消火器本体内に薬剤を一定量送給して再充填する手段が、消火器具内を負圧にする吸引手段と、負圧の消火器具内に薬剤を送給する手段と、両手段の切替バルブとを備えているものである請求項６〜８のいずれか１に記載の液体消火器の再生装置。
【請求項１０】
消火器具内を負圧にする吸引手段が、真空ポンプであり、しかも消火器内と真空ポンプとの間に気密タンクを介在させたものである請求項６〜９のいずれか１に記載の液体消火器の再生装置。
【請求項１１】
消火器本体内に薬剤を一定量送給して再充填する手段には、切替バルブと消火器具放出口との間に圧力計が介在されているものである請求項６〜８のいずれか１に記載の液体消火器の再生装置。
【発明の詳細な説明】
【技術分野】
【０００１】
本発明は、液体消火器具とくにクリーン型消火器の再生方法およびその装置に関し、現場での再生作業を可能とするとともに作業の確実性と簡便化をはかることを目的とする。
【背景技術】
【０００２】
消火器具類は、法により設置後一定年月毎にその外観や内容物である薬剤交換などの点検を実施することが義務づけられている。また外観上において腐蝕や変形、キズなどが生じた場合や、使用環境如何によっても機能障害の危険や薬剤交換の必要性があるために、早めの点検を要する場合が多い。
【０００３】
消火器点検や薬剤交換の再生のための具体的手法としては、一般的には消火器具の上部（ヘッド部）を取り外して開口させた状態にて消火薬剤の交換をおこなうことになる。また消火薬剤についても、その性状において、強化液消火薬剤または泡消火薬剤に関しては個々にポリバケツ等に移して変色や腐敗、沈殿物、汚れ等がないかどうかの確認をおこなう。
【０００４】
また薬剤量についても秤量確認し、あるいは液面表示のあるものについては消火薬剤を移す前に液面表示により規定量に達しているかどうかについての確認がおこなわれる（「消防設備士講習用テキスト 避難設備・消火器偏」平成２０年４月２５日第１７版 財団法人に本消防設備安全センター発行 第３章 点検要領  消火器具ｐ187−ｐ197 参照）。
【先行技術文献】
【非特許文献】
【０００５】
【非特許文献１】「消防設備士講習用テキスト  避難設備・消火器偏」平成２０年４月２５日第１７版  財団法人に本消防設備安全センター発行  第３章  点検要領  消火器具ｐ187−ｐ197
【発明の概要】
【発明が解決しようとする課題】
【０００６】
しかしながら、上記した従来の一般的な手法による場合においては、点検や薬剤交換の再生時において消火器具の上部（ヘッド部）を取り外して開口させ、内部点検や消火薬剤の交換をおこなうことになり、作業時間が長くなること、また再生作業が大掛かりとなることが避けられない。
【０００７】
とくに電子機器や精密機械を扱う作業現場や食品加工を行う衛生的な環境等塵や埃の存在を嫌い、また細胞の増殖活性化など無菌性およびクリーン性を要求される場所に設置されるクリーン型の消火器にあっては、その再生作業においても同じくクリーン性が保たれた場所において実施される必要があるが、そのためには消火器具を一旦回収し、これを製造元などの専門設備を備えた施設に運搬してクリーン環境内において再生作業を実施し、再生後の消火器具を再び元の設置箇所に運搬して設置しなければならず、時間的にも、またコスト的にも課題を残すものであった。
【課題を解決するための手段】
【０００８】
上記の課題を解決するために本発明にあっては以下の構成とした。すなわち、本発明においては消火器の放射口に接続し、放出した消火器本体内の薬剤を略全量回収容器内に収容する手段と、消火器具の放射口に接続し、消火器本体内に薬剤を一定量送給して再充填する手段とからなり、また必要に応じてあらかじめ消火器の放出口に接続して試験ガスを設定圧力で圧送して消火器本体内部耐圧力を試験するようにし、あるいは消火器本体内に薬剤を一定量送給して再充填する手段が、消火器内を負圧にする吸引手段と、負圧の消火器内に薬剤を送給する手段と、両手段の切替バルブとを備えているものである液体消火器の再生方法およびその装置に関する。
【０００９】
またこの場合に、消火器内を負圧にする吸引手段が真空ポンプであり、しかも消火器内と真空ポンプとの間に気密タンクを介在させ、また消火器本体内に薬剤を一定量送給して再充填する手段の実施後に、消火器の放射口に接続し、再充填された消火器本体内に薬剤放射用ガスを適量蓄圧するようにした液体消火器具の再生方法およびその装置にも関する。なお前記した吸引手段が真空ポンプではなくエダクターやエジェクターを用いて消火器内を負圧にするようにしても良い。
【発明の効果】
【００１０】
本発明は上記したように、消火器の放射口に接続し、放出した消火器本体内の薬剤を略全量回収容器内に収容する手段と、消火器の放射口に接続し、消火器本体内に薬剤を一定量送給して再充填する手段とからなる消火器の再生方法、およびこれに関連する再生装置であるために、径時的な点検や薬剤交換にあたり、いちいち消火器のヘッド部を取り外して開口させた状態にて再生作業をおこなう必要がなく、また消火器具転倒により液体薬剤を不用意に撒き散らしたりすることがない。
【００１１】
また再生作業の必要上から消火器具をいちいち生産者等の工場に輸送せずとも、例えば上記の本発明装置を備えた車輌を現地に差し向けることにより、現地での再生作業が可能となる。
【００１２】
さらに本発明は、とくに電子機器や精密機械を扱う作業現場や食品加工を行う衛生的な環境等塵や埃の存在を嫌い、また細胞の増殖活性化など無菌性が要求され、あるいはクリーン性が保たれた場所に設置されるクリーン型の消火器にあっては、その再生作業においても同じくクリーン性が保たれた場所において実施される必要があるが、その場合においても製造元などの専門設備を備えた施設に運搬してクリーン環境内において再生作業を実施するために消火器具を一旦回収し、再生後の消火器を再び元の設置箇所に運搬して設置するなどの必要がなく、時間的にも、またコスト的にもきわめて有効である。
【図面の簡単な説明】
【００１３】
【図１】本発明の一実施例であるところの消火器具の再生装置の全体をあらわした概略図。
【図２】消火器具の一例をあらわした汎用消火器の正面図（Ａ）およびそのヘッド部分の一部を断面であらわした部分拡大図。
【図３】図２の消火器の放射口より放射ホースを取り外した状態をあらわした正面図。
【図４】図３の消火器の放射口に耐圧試験用の窒素ボンベを接続した状態をあらわした正面図。
【図５】図３の消火器の放射口に薬剤回収の回収容器を接続した状態をあらわした正面図。
【図６】消火器具内に薬剤を再充填した後、図３の消火器の放射口にガスを一定圧力まで充填蓄圧するために窒素ボンベを接続した状態をあらわした正面図。
【発明を実施するための形態】
【００１４】
以下、本発明の具体的な内容を、図示した実施例をもとに説明をする。図において１は消火器具の一例をあらわした消火器、１６は凸型ジョイント具、１８は消火器１の本体内部耐圧力を試験する手段の一例をあらわした窒素ガスボンベ、２２は消火器１より放出させた薬剤を略全量収容するための回収容器、２５は気密タンク、２６は三方弁、３０は圧力計、３１は消火器１内を負圧にするための吸引手段の一例としての真空ポンプ、３６は消火器１の本体内に薬剤を一定量送給して再充填するための充填用消火薬剤容器、をそれぞれあらわしている。
【００１５】
さらに消火器１は、図２に詳細を記したように、有底の管胴部２および該管胴部２の上端開口部に被嵌され外周端部を溶接４ａにより一体に結合されたところの中央部に溶接４ｂにより上方に突出させた首部開口部４ｃを有した皿状のショルダー部３と、上記首部開口部にパッキン６ａを介して締め付け螺旋６により取り付けられるヘッド部５、および該ヘッド部５の放射口７に螺旋止めされ、先端に放射ノズル１３を取り付けたホース１１とから構成される。
【００１６】
さらにヘッド部５の内部は一方を首部開口部内に向けて、また他方を側面側に向けて放射口７として開口させており、両開口部はヘッド部５の内部において連通されており、さらに首部開口部側には弁棒１４を介して管胴部２内奥方に向けて突出させたサイフォン管１５が突出されている。またヘッド部５は固定ハンドル８と、該固定ハンドル８に向けて可動可能にした上部ハンドル８ａ、および上部ハンドル８ａの不用意な可動を規制する安全ピン９を有している。なお１０は指示圧力計をあらわしている。
【００１７】
凸型ジョイント具１６は、ホース１１を取り外した際に該ホース１１を取り付ける放射口７内に、ホース１１に代えて取付られるようにしたもので、該凸型ジョイント具１６に対しては窒素ガスボンベ１８の凹型ジョイント具１７ａ、回収容器２２の凹型ジョイント具１７ｂ、そして三方弁２６に繋がる凹型ジョイント具１７ｃと、それぞれ任意に交換して気密に接続可能に構成されている。
【００１８】
窒素ガスボンベ１８は、図４にも拡大してあらわしたように、開閉バルブ１９および圧力調整器２０が取り付けられているとともに、耐圧ホース２１にバルブ４１を介してその先端部に凹型ジョイント具１７ａが取り付けられている。また回収容器２２は、図５に拡大してあらわしたように、消火器１の充填薬剤量容積よりも大きい内容積を有した密閉型の容器であって、一定時間のクリーン性を維持できる構造となっている。
【００１９】
またその開口部にはホース２４の一端を気密に取り付けるための締め付け螺旋２３が設けられているとともに、ホース２４とは別に、回収容器２２が過剰な内圧により破裂するのを防止し、また外気の侵入を防ぐためにホース２４ａを介して逆止弁２３ａが設けられ、また前記したホース２４の先端部には凹型ジョイント具１７ｂが取り付けられている。
【００２０】
三方弁２６は、一方が先端に凹型ジョイント具１７ｃを取り付けてある耐圧ホース２７に、また他方が先端に圧力逃がし弁３３を取り付けた耐圧ホース３４に接続され、また三方弁２６の別の流路には先端を気密タンク２５内に底部に向けて解放させた状態にて気密に取り付けた耐圧ホース２８に接続されており、また上記の気密タンク２５内には別の耐圧ホース３２の一端が同じく底部に向けて開放させた状態にて気密に取り付けられ、しかも耐圧ホース３２の他端部は吸引手段としての真空ポンプ３１に接続されている。
【００２１】
この場合に、気密タンク２５内に、先端を底部に向けて開放させた耐圧ホース３２の一端は、耐圧ホース３２内に、先端を底部に向けて下方に向けて突出開放させた耐圧ホース２８の先端より高い部分に位置させることにより、消火器１内を繰り返し負圧に吸引する作業を繰り返した場合に、消火器１の内底部の残存消火剤液体が気密タンク２５内に溜まっても、耐圧ホース３２を介して真空ポンプ３１に吸い込まれることがなくなり、これによって真空ポンプ３１を保護し、耐久性を向上させることができる。
【００２２】
なお前記した吸引手段として、真空ポンプ３１のほかに、同じく真空ポンプの仲間であるエダクターやエジェクターを用いることも可能である。また圧力計３０は耐圧ホース２７の途中に開閉バルブ２９を介して取り付けられており、この場合には消火器１の管胴２内におけるガス圧の正・負圧力を測定する所謂連成計である必要がある。
【００２３】
さらに耐圧ホース３４の途中には先端に凸型ジョイント具３８を取り付けたところの、中間に開閉バルブ３５を介在させた耐圧ホース３９が接続されている。また上記の凸型ジョイント具３８には充填用消火薬剤容器３６が、その取付用の凹型ジョイント具３７を気密に嵌着させることにより取り付けられる。
【００２４】
なお、充填用消火薬剤容器３６は少なくとも消火器１の管胴２の内容積と略等しいか、あるいはそれよりも大きな内容積を有し、内部にはあらかじめ消火器１内に再充填するための消火薬剤が収容されている。また上記した各部のジョイント具における凹凸接続型はそれぞれ逆の凹凸接続型としてもよく、さらに一対の凹凸ジョイントを外すと各ジョイント部の開口部がバネの付勢力により自動的に閉塞されるよう蓋を設けた構造とすると一層好ましい。
【実施例】
【００２５】
上記の構成において、以下に操作手順の実施例を示す。まず再生する消火器１の放出口７よりホース１１を取り外す（図３参照）。
【００２６】
〔消火器本体内部耐圧力試験〕
ホース１１を取り外した消火器１の放出口７に凸型ジョイント具１６を取り付け、該凸型ジョイント具１６に窒素ガスボンベ１８の凹型ジョイント具１７ａを嵌着接続した後、圧力調整器２０により試験ガス圧を２．０ＭＰａ程度に設定し、窒素ガスボンベ１８の開閉バルブ１９を開放後、開閉バルブ４１を開放し、安全ピン９を外してから消火器１の上部ハンドル８ａを固定ハンドル８方向に操作することにより消火器１の管胴２内と耐圧ホース２１とを連通させる（図４参照）。
【００２７】
消火器１内のガス圧が設定圧力（２．０ＭＰａ程度）に達したところで窒素ガスボンベ１８の開閉バルブ１９を閉めるとともに開閉バルブ４１を閉じ、消火器１の上部ハンドル８ａを上方に復帰させて外部と遮断させた後、凸型ジョイント具１６より凹型ジョイント具１７ａを取り外し、この状態で一定時間（本実施例においては２分間）そのままの状態を維持させる。
【００２８】
一定時間経過時点での消火器１の指示圧力計を確認し、指示圧力の低下がないかについての確認をおこなうことにより消火器１の本体内部耐圧力を試験する。この場合に圧力漏れがあった場合には消火器１そのものに問題があるため再生不能ということで廃棄される。
【００２９】
〔消火器本体内の薬剤を略全量回収容器内に収容する手段〕
回収容器２２の凹型ジョイント具１７ｂを消火器１の凸型ジョイント具１６に嵌着することにより消火器１の放射口に接続し、消火器１の上部ハンドル８ａを固定ハンドル８方向に操作して管胴部２内の消火薬剤を蓄圧ガスとともに放出させ、放出した消火器１本体内の薬剤の略全量を耐圧ホ−ス２４を介して回収容器２２内に収容する（図５参照）。
【００３０】
〔消火器本体内に薬剤を一定量送給して再充填する手段〕
耐圧ホース２７の凹型ジョイント具１７ｃを凸型ジョイント具１６に嵌着させて消火器１の放射口７に接続し、三方バルブ２６矢印Ａ方向に切り替えて耐圧ホース２８に連通させ、さらに消火器１の上部ハンドル８ａを固定ハンドル８側に操作して放出口７を開放させたまま、この状態にて耐圧ホース３２を介して接続されている吸引手段である真空ポンプ３１を駆動し、気密タンク２５を介して消火器１の管胴部２の内部を一定圧の負圧（概ね−０．０８〜−０．０９ＭＰａ程度）にする。
【００３１】
なおこの場合、消火器の再生作業の繰り返しにより、消火器内底部の僅かな残存消火剤液体が吸引されて少しずつ気密タンク２５内に溜まる結果、次第に満足した真空度が得られなくなるので、気密タンク２５内にある程度の吸引液体が溜まったら、早めに気密タンク２５内を空の状態に戻す必要がある。
【００３２】
また消火器１内の負圧量については後記する充填用消火薬剤容器３６内の消火薬剤の略全量が消火器１内に吸引されるのに十分な程度の負圧量とするものとし、開閉バルブ２９を開いて圧力計３０により確認することができる。消火器１内の負圧量が十分になったところで、開閉弁３３を閉じたまま三方弁２６を矢印Ｂ方向に切替えることにより耐圧ホース２７を耐圧ホース３４に連通させる。
【００３３】
さらに開閉バルブ３５を閉じた状態で凸型ジョイント具３８に消火薬剤を装填した充填用消火薬剤容器３６の凹型ジョイント具３７を嵌着して耐圧ホース３４および３９を介して充填用消火薬剤容器３６に連通させ、その後開閉バルブ３５を開放すると、充填用消火薬剤容器３６内の消火薬剤が消火器１内の負圧力により吸引され、耐圧ホース３９・３４・２７を介して消火器１の管胴部２内に一定量送給されて再充填される。
【００３４】
圧力計３０の指示値が略ゼロになったところで消火器１の上部ハンドル８ａを上方に戻して放射口７を遮断し、さらに凹型ジョイント具１７ｃを凸型ジョイント具１６から取り外して消火薬剤の再充填作業を終了する。
【００３５】
〔再充填された消火器本体内に薬剤放射用ガスを適量蓄圧する手段〕
消火器１の凸型ジョイント具１６に窒素ガスボンベ１８の凹型ジョイント具１７ａを嵌着接続した後、再度消火器１の上部ハンドル８ａを固定ハンドル８側に向けて操作して放出口７を開放し、さらに圧力調整器２０により消火薬剤を放射するのに十分な圧力（例えば０．９８ＭＰａ程度）に設定して開閉バルブ１９を開放し、開閉バルブ４１を開放して消火器１内に窒素ガスを設定ガス圧に達するまで充填する（図６参照）。
【００３６】
消火器１の指示圧力計１０が設定した目的圧力に達したことを指示したときに、消火器１の上部ハンドル８ａを上方に復帰させて放射口７を遮断するとともに、窒素ガスボンベ１８の開閉バルブ１９を閉じる。さらに凹型ジョイント具１７ａを消火器１の凸型ジョイント具１６から取り外した後、安全ピン９を取り付け、放射口７にホース１１の螺旋部１２を取り付け、消火器１の総重量を測定後、最後に封印シール（図示省略）を貼り一連の再生作業を終了する。
【００３７】
なお図１において３３は圧力逃がし弁をあらわし、通常は閉塞されているが、既述した各作業工程中において消火器１や気密タンク２５あるいは各部耐圧ホース内の負圧力を適宜回復させる際に開放される。さらに上記の実施例においては、〔消火器本体内の薬剤を略全量回収容器内に収容する手段〕の前に〔消火器本体内部耐圧力試験〕をおこなっているが、場合によってはこれを省略してもよい。
【符号の説明】
【００３８】
１        消火器
２        管胴
３        ショルダー部
４ａ      溶接
４ｂ      溶接
４ｃ      首部開口部
５        ヘッド部
６        締め付け螺旋
７        放射口
８        固定ハンドル
８ａ      上部ハンドル
９        安全ピン
１０      指示圧力計
１１      ホース
１２      螺旋部
１３      ノズル
１４      弁棒
１６      凸型ジョイント具
１７ａ    凹型ジョイント具
１７ｂ    凹型ジョイント具
１７ｃ    凹型ジョイント具
１８      窒素ガスボンベ
１９      開閉バルブ
２０      圧力調整器
２１      耐圧ホース
２２      回収容器
２３      締め付け螺旋
２４      ホース
２５      気密タンク
２６      三方バルブ
２７      耐圧ホース
２８      耐圧ホース
２９      開閉バルブ
３０      圧力計
３１      真空ポンプ
３２      耐圧ホース
３３      圧力逃がし弁
３４      耐圧ホース
３５      開閉バルブ
３６      充填用消火薬剤容器
３７      凹型ジョイント具
３８      凸型ジョイント具
３９      耐圧ホース
４０      開閉バルブ
【図１】
2010273964.tif 000003
【図２】
2010273964.tif 000004
【図３】
2010273964.tif 000005
【図４】
2010273964.tif 000006
【図５】
2010273964.tif 000007
【図６】
2010273964.tif 000008